(57)【特許請求の範囲】
【請求項１】
回転軸に軸支されたロール紙と、前記ロール紙を引き出す給紙ローラと、前記引き出されたロール紙を巻き戻す手段とを有するロール紙給紙装置において、
前記給紙ローラによって前記ロール紙を引き出すときに前記ロール紙を付勢させ、且つ前記ロール紙を巻き戻すときに前記ロール紙への前記付勢を解除可能に設けたブレーキ手段を有してなり、前記給紙ローラは、クラッチを介して駆動源の駆動の伝達を切り替え可能とし、前記ロール紙への付勢を与え、前記ロール紙を巻き戻すときには前記付勢が加わらないように設けられ、前記給紙ローラにおけるロール紙の移動速度が前記回転軸による前記ロール紙の送り出し速度より速くなるように設けられていることを特徴とするロール紙給紙装置。
【発明の詳細な説明】
【０００１】
【発明の属する技術分野】
本発明は、ロール紙を引き出して給紙するロール紙給紙装置に関する。
【０００２】
【従来の技術】
回転軸に回転可能に軸支したロール紙の先端を引き出して画像形成部等に給紙するロール紙給紙装置が知られる。給紙装置は、駆動ローラおよび従動ローラよりなる給紙ローラによりロール紙の先端部分を挟持して駆動源からの駆動の伝達により正回転させて回巻きされているロール紙を巻き解いて引き出している。引き出されたロール紙は、所望する長さに達したときにカッターによって切断され、画像形成部に搬送され、周知の方法によって画像形成が行われる。残されたロール紙は、給紙ローラを逆回転させ所定の位置まで引き戻され、次の画像形成のために準備される。
【０００３】
ロール紙を所定の長さ引き出して給紙ローラが停止したときに、ロール紙を軸支している回転軸がロール紙の引き出し時の惰性で回転してロール紙を巻き解いてしまうという問題を有する。そして、給紙ローラと回巻きされているロール紙との間でたるみが生じてしまう。ロール紙のたるみをそのままにしておくと、次の画像形成のときに給紙ローラによる給紙位置がずれてしまって蛇行したり、たるみ癖により紙つまりや転写不良の原因となってしまう。あるいは給紙ローラによってロール紙を引き出している最中にロール紙がたわんでしまい、カッターで切断する位置がずれてしまい、ロール紙のカット長が安定しないという問題を有する。
このため図３に示すようなロール紙６の回転軸３に付勢をかけるようにブレーキ手段４が設けられている。ブレーキ手段４は、適宜な摩擦力で回転軸３を付勢しており、ロール紙にたるみを形成させることなく送り出している。
ブレーキ手段４としては円盤状の固定部材７を回転軸３に固定し、円盤状の部材７の側面にフェルトを介して押圧部材９がばねにより押圧させている。押圧部材９は、回転軸３に対して一方向クラッチによって一方向に回転可能に設けたギア８などに連結して回転を規制している。これにより引き出し時におけるロール紙６のたわみ量が少なくなる。一方向クラッチは駆動源が正回転（給紙ローラがロール紙を引き出す回転方向）のときには駆動が伝達されず、駆動源が逆回転のときに駆動が伝達されるように設けられている。
【０００４】
従来においてロール紙６を巻き戻すときには、駆動源５から回転軸３に駆動を伝達させる経路にブレーキ手段４を介して回転軸を逆回転させていた。即ち、駆動源からの駆動の伝達がブレーキ手段４を介して伝達されている。従ってロール紙の引き出しにおいてはブレーキ手段４による付勢が与えられるように一方向クラッチ２７ｂによってギアが回転しないように設けられている。また、ロール紙を巻き戻すときには駆動源５からの駆動がブレーキ手段４を介して回転軸３に伝達してロール紙６を巻き戻している。
【０００５】
【発明が解決しようとする課題】
上述したロール紙給紙装置においては、ロール紙を巻き戻すときにブレーキ手段４を介して駆動を伝達しているため、ブレーキ手段が空回りしないように、ある程度の押圧力でブレーキ手段を回転軸に対して付勢させなければならない。しかしながら、ロール紙を引き出すときに大きな付勢力が給紙ローラに加わってしまうため、大きなトルクを有する駆動源が必要となってしまう。このようにブレーキ手段による付勢力と巻き戻すときの力との関係は密接であり、ブレーキ手段の調整が煩雑なものとなってしまう。
また、ブレーキ手段の付勢力の調整は、ロール紙の残量によってロール紙の直径が変化してロール紙を引き出す力が異なるため、ブレーキ手段の付勢力の調整は難しいものとなってしまうという問題を有する。
【０００６】
本発明は上記問題を解決するため、小さい出力の駆動源を用いることができ、適宜な付勢力でロール紙を引き出すことができ、ブレーキ手段の付勢力が加わらない状態でロール紙を巻き戻すことができるロール紙給紙装置を提供することを課題とする。
【０００７】
【課題を解決するための手段】
本発明は上記課題を解決するため、回転軸に軸支されたロール紙と、前記ロール紙を引き出す給紙ローラと、前記引き出されたロール紙を巻き戻す手段とを有するロール紙給紙装置において、前記給紙ローラによって前記ロール紙を引き出すときに前記ロール紙を付勢させ、且つ前記ロール紙を巻き戻すときに前記ロール紙への前記付勢を解除可能に設けたブレーキ手段を有してなり、前記給紙ローラは、クラッチを介して駆動源の駆動の伝達を切り替え可能とし、前記ロール紙への付勢を与え、前記ロール紙を巻き戻すときには前記付勢が加わらないように設けられ、前記給紙ローラにおけるロール紙の移動速度が前記回転軸による前記ロール紙の送り出し速度より速くなるように設けられていることを特徴とする。
【００１０】
このような構成により、ロール紙を給紙するときには、給紙ローラとロール紙を軸支した回転軸を正回転で駆動させ、ブレーキ手段が回転軸を付勢させるとともに、給紙ローラがロール紙を引き出す。所定の長さのロール紙が給紙された後駆動源が停止して給紙ローラが停止する。このときブレーキ手段によってロール紙を付勢させながら引き出されるためにロール紙にたわみを形成することがない。次いでロール紙の先端を所定の位置に位置させるために駆動源の回転方向を逆方向に回転させ、回転軸が逆回転してロール紙を巻き戻す。このときクラッチのオンオフ動作によって適宜な時間のみ給紙ローラが駆動して所定の位置にロール紙の先端を位置させる。そして駆動源の駆動の伝達は回転軸に設けた一方向クラッチが作動してブレーキ手段の付勢が加わらないで回転軸を回転させる。
【００１１】
【発明の実施の形態】
本発明の好適な実施例を図面に基づいて説明する。
図１は本発明のロール紙給紙装置の概略側面図を示し、図２に概略上面図を示す。
ロール紙給紙装置１は、回転可能に回転軸３に軸支されたロール紙６と、ロール紙６を引き出す給紙ローラ２と、引き出されたロール紙６を巻き戻す手段１０と、ロール紙の回転を付勢させるブレーキ手段４とを有する。
【００１２】
ロール紙６は、ロール紙６の紙管１１に挿通させたスプール１２によって固定され、スプール１２の両端に突出するように設けた回転軸３の中心を装置内の側板に支持させ回転可能となるように設けられている。スプールは例えば半径方向外方に向かって３方向に放射状に延びる板材により紙管の内面をばねなどにより付勢させて押しつけるようにしてがたがないように保持している。
給紙ローラ２は、駆動源５からの駆動を伝達して回転する弾性の駆動ローラ１３と、駆動ローラ１３に所定の圧力で接触して従動する弾性の従動ローラ１４よりなり、駆動ローラ１３と従動ローラ１４との間にロール紙６の先端部分を所定の押圧力で挟持させて画像形成部１５に給紙している。
巻き戻す手段１０は、カッター１６により切断されたロール紙の先端を所定の位置に位置させるためにロール紙を巻き戻すものであり、カッターの動作信号などによる信号に基づいて巻き戻し手段１０が駆動源５の駆動を逆回転させてギア１８およびタイミングベルト１７に駆動を伝達して回転軸３を給紙方向の回転方向とは逆の方向に回転させる。
【００１３】
実施例においては、給紙ローラ２および回転軸３を駆動させる正逆回転する駆動源５としての唯一のモータが設けられている。駆動源５が正回転のときにはロール紙６を巻きほどくようにブレーキ手段４による付勢が加わりながら供給ローラ２が回転し、駆動源が逆回転するときにはブレーキ手段４による付勢が加わらない状態で回転軸３が回転してロール紙６を巻き戻す。このように単一の駆動源により給紙ローラおよび回転軸を駆動させるため、コストおよび省スペース化が図られる。
カッター１６はロール紙を搬送させながら切断するように設けられており、切断されたロール紙の先端がセンサ２１を通過して停止する。このため、センサ位置までロール紙を戻さなければならない。
【００１４】
駆動源５から駆動を給紙ローラ２あるいは回転軸３に伝達するためにギアあるいはタイミングベルト１７などが好適に用いられている。給紙ローラ２は、側板２０に設けた回転可能なプーリー１９ａ、ｂ、ｃ、ｄ、ｅにタイミングベルト１７を張り渡して駆動源５からの駆動を伝達し、プーリー１９ｂの同心円上に設けられたギア１８ｄを介して駆動ローラ１３を回転させている。
タイミングベルト１７から駆動を受けたギア１８ｄにはクラッチ２２が設けられており、センサ２１などからの制御信号に基づいてオンオフし、駆動の伝達を制御している。駆動源５が正回転のときにはクラッチ２２がオンとなりギア１９ｄから駆動ローラ１３に駆動が伝達され、駆動源５が逆回転するときに所望する時間的なタイミングあるいはセンサ２１上にロール紙の先端が達したことを検知することなどしてクラッチ２２を作動させてロール紙の先端を所定の位置に戻すように制御している。
【００１５】
一方、ロール紙６の巻き戻しの手段１０として同じ駆動源５から駆動を分岐して側板などに回転可能に設けた複数のギア１８ａ、ｂ、ｆ、ｇ、ｈ、ｉ、ｊを連結して駆動を伝達させ回転軸３を回転させている。ギア１８ｉには一方向クラッチ２７ａが設けられており、駆動源５が正回転するときにはギアｊに駆動を伝達しないように空回りさせ、駆動源５が逆開店するときにはギア１８ｉとギア１８ｊとが連動して回転して回転軸３を逆回転させる。
回転軸３までのギア比を小さくしてロール紙の残量がいずれの場合であっても供給ローラの移動速度より遅くなるようにすることが好ましい。ロール紙を引き出すときおよび巻き戻すときに一方向クラッチ２７ａの作用によりロール紙を突っ張らせることなく引き出しあるいは巻き戻すことができる。
【００１６】
ブレーキ手段４は、回転軸３に固定された円盤形状の固定部材７と、固定部材７の側面にフェルト、スポンジなどの摩擦部材を介して回転軸３に対して回転自在となっている円盤状の押圧部材９と、押圧部材９の外周面に設けたギア２５にかみ合って一方向クラッチ２７ｂを介して側板などに回転可能に設けたギア８とを有する。一方向クラッチ２７ｂはロール紙を引き出すときに回転不能となり、ロール紙６を巻き戻すときに回転可能となるように設けられている。従って、駆動源５を正回転させてロール紙６を給紙ローラ２によって引き出すときには押圧部材９が一方向クラッチの作用によって回転しないため、ブレーキ手段４の摩擦部材が固定部材７と押圧部材９との間でロール紙の引き出しを付勢する。また、駆動源５からの駆動はギア１８ｈまで伝達されるが一方向クラッチ２７ａの作用により回転軸３まで伝達されない。
給紙ローラ２によるロール紙の引き出し速度が回転軸３へのロール紙の回転速度より速く設定されているため、駆動源５から直接に回転軸が駆動することなくブレーキ手段４による付勢が加わりながらロール紙を引き出すことができる。
【００１７】
このような構成に基づいて動作を説明する。
ロール紙６を引き出すときに駆動源５を正回転させ、駆動を給紙ローラ２に伝達させる。このとき、一方向クラッチ２７ａの作用により回転軸３への駆動の伝達はなわれず、ブレーキ手段４が回転軸に対して付勢されロール紙６にブレーキをかける。引き出されたロール紙６を所定の位置に戻すときに駆動源５を逆回転させる。一方向クラッチ２７ａ、ｂの作用により回転軸への駆動が伝達され、回転軸３が逆回転してロール紙６を巻き戻し、ロール紙の先端が所定の位置まで移動させた後にクラッチを切断して給紙ローラへの駆動の伝達を切断させる。ロール紙が突っ張った状態をエンコーダ３０が停止したことにより検知して駆動源を停止させる。
【００１８】
【発明の効果】
ロール紙を引き出すときにのみにブレーキ手段による付勢が加わり、ロール紙を巻き戻すときにブレーキ手段を介さないで回転軸を回転することができるため、ブレーキ手段の付勢力を最小限のものとすることができ、駆動源のトルクを小さいものとすることができる。また、給紙ローラと回転軸とを駆動源から分岐して駆動を伝達しているため、駆動源を一つで行うことができる。
【図面の簡単な説明】
【図１】  本発明によるロール紙給紙装置の一例を示す概略側面図。
【図２】  本発明によるロール紙給紙装置の概略上面図。
【図３】  従来のロール紙給紙装置の概略上面図。
【符号の説明】
１  ロール紙給紙装置
２  給紙ローラ
３  回転軸
４  ブレーキ手段
１０  巻き戻し手段
１７  タイミングベルト
１８ａ、ｂ、ｄ、ｆ、ｇ、ｈ、ｉ  ギア
１９ａ、ｂ、ｃ、ｄ、ｅ  プーリー
２７ａ、ｂ  一方向クラッチ
【図１】
0003958052.tif 000002
【図２】
0003958052.tif 000003
【図３】
0003958052.tif 000004